(57)【特許請求の範囲】
【請求項１】
人体背面のマッサージ用のマッサージ機構をリクライニング自在な背もたれに配したマッサージ機において、前記背もたれの両側前方に位置する肘掛けと、前記背もたれの左右両側に配され前方へ突出した側壁と、当該側壁の内側に配されたエアバッグと、を有し、
前記背もたれは、その少なくとも上部の両側面に側方へ張り出すとともに上部よりも下部側の方が背もたれ側方への張り出し量が大である張り出し部を備え、
前記張り出し部の側縁に沿って設けられた前記側壁は、前記背もたれ前方への突出量が上部よりも下方側が大であり且つ前記肘掛けよりも側方に突出していないことを特徴とするマッサージ機。
【請求項２】
人体背面のマッサージ用のマッサージ機構をリクライニング自在な背もたれに配したマッサージ機において、前記背もたれの両側前方に位置する肘掛けと、前記背もたれの左右両側に配され前方へ突出した側壁と、当該側壁の内側に配されたエアバッグと、を有し、
前記背もたれは、その少なくとも上部の両側面に側方へ張り出すとともに上部よりも下部側の方が背もたれ側方への張り出し量が大である張り出し部を備え、
前記張り出し部の側縁に沿って設けられた前記側壁及び該側壁内側の前記エアバッグは、前記背もたれ前方への突出量が上部よりも下方側が大であり、
前記エアバッグは、前記肘掛けよりも側方に突出していないことを特徴とするマッサージ機。
【発明の詳細な説明】
【技術分野】
【０００１】
本発明は、マッサージ機、殊に椅子型のマッサージ機に関するものである。
【背景技術】
【０００２】
人体背面のマッサージ用のマッサージ機構を背もたれ内に配したマッサージ機において、背もたれの左右両側面の外側に前方へ突出する側壁を取り付けて、この側壁の内側にエアバッグを配したものがある。
【先行技術文献】
【特許文献】
【０００３】
【特許文献１】特開２００５−１９２６０３号公報
【発明の概要】
【発明が解決しようとする課題】
【０００４】
側壁が背もたれの左右両側面の外側に位置している上記のものでは、背もたれ部分の全幅が大きく、梱包時のサイズが大きくなってしまう。
【０００５】
本発明はこのような点に鑑みなされたものであって、梱包時のサイズを小さくできるマッサージ機を提供することを課題とするものである。
【課題を解決するための手段】
【０００６】
本発明は、人体背面のマッサージ用のマッサージ機構をリクライニング自在な背もたれに配したマッサージ機において、前記背もたれの両側前方に位置する肘掛けと、前記背もたれの左右両側に配され前方へ突出した側壁と、当該側壁の内側に配されたエアバッグと、を有し、前記背もたれは、その少なくとも上部の両側面に側方へ張り出すとともに上部よりも下部側の方が背もたれ側方への張り出し量が大である張り出し部を備え、前記張り出し部の側縁に沿って設けられた前記側壁は、前記背もたれ前方への突出量が上部よりも下方側が大であり且つ前記肘掛けよりも側方に突出していないことを特徴とする。
【０００７】
また、本発明は、人体背面のマッサージ用のマッサージ機構をリクライニング自在な背もたれに配したマッサージ機において、前記背もたれの両側前方に位置する肘掛けと、前記背もたれの左右両側に配され前方へ突出した側壁と、当該側壁の内側に配されたエアバッグと、を有し、前記背もたれは、その少なくとも上部の両側面に側方へ張り出すとともに上部よりも下部側の方が背もたれ側方への張り出し量が大である張り出し部を備え、前記張り出し部の側縁に沿って設けられた前記側壁及び該側壁内側の前記エアバッグは、前記背もたれ前方への突出量が上部よりも下方側が大であり、前記エアバッグは、前記肘掛けよりも側方に突出していないことを特徴とする。
【発明の効果】
【０００８】
本発明においては、人体背面のマッサージ用のマッサージ機構をリクライニング自在な背もたれに配したマッサージ機において、背もたれの両側前方に位置する肘掛けと、背もたれの左右両側に配され前方へ突出した側壁と、側壁の内側に配されたエアバッグと、を有し、側壁は肘掛けよりも側方に突出していないことを特徴とするため、マッサージ機を梱包する際のサイズが大きくなってしまうことがない。
【０００９】
また、本発明においては、人体背面のマッサージ用のマッサージ機構をリクライニング自在な背もたれに配したマッサージ機において、背もたれの両側前方に位置する肘掛けと、背もたれの左右両側に配され前方へ突出した側壁と、側壁の内側に配されたエアバッグと、を有し、エアバッグは、肘掛けよりも側方に突出していないことを特徴とするため、マッサージ機を梱包する際のサイズが大きくなってしまうことがない。
【図面の簡単な説明】
【００１０】
【図１】本発明の実施の形態の一例を示す側面図である。
【図２】同上のリクライニング時の側面図である。
【図３】同上の斜視図である。
【図４】同上の斜視図である。
【発明を実施するための形態】
【００１１】
本発明を実施の形態の一例に基づいて詳述すると、図３及び図４に示す椅子型のマッサージ機は、リクライニング自在な背もたれ１内にマッサージ機構（図示せず）を配したもので、上記背もたれ１に加えて、座部２と座部２の両側に位置する肘掛け３，３、座部２の前端下方に配した足載せ台４、そして上記座部２が上面に配されているフレーム５とからなるもので、上記足載せ台４はフレーム５の前端側上部に軸支されて該軸を中心に回動自在となっており、該回動によって座部２の前方側にほぼ水平状態に位置させることができる。なお、図では左側の肘掛け３を省略している。
【００１２】
上記フレーム５内には、上記足載せ台４の回動駆動のためのユニットと、背もたれ１のリクライニング動作を担うリフトユニット５１に加えて、後述の各エアバッグへのエア供給用のエアポンプ及び弁が配設されている。図中５５はフレームカバーである。
【００１３】
上記背もたれ１は、図１に示すように、その下部が上記フレーム５の上部後端に軸５０によって支持されるとともに、その下端とフレーム５の上部前端との間に配したリフトユニット５１の伸縮によって軸５０を中心に回動することでリクライニング自在となっているもので、枠型をした背もたれフレーム１０に箱型の枠１１を被せ、更に枠１１を外皮１２で覆ったものとして形成されており、背もたれ１内に配された前記マッサージ機構は背もたれフレーム１０に沿って上下に移動自在なものとなっており、人体背面に対するマッサージは、上記枠１１の前面に設けられた開口部１３を通じて上記外皮１２ごしに施療子６を人体背面に接触させることで行う。
【００１４】
肘掛け３は、座部２の側方に配された側板３０と、側板３０の外面を覆うサイドカバー３１、側板３０の上面に被せられる肘掛け部３２、そして肘掛け部３２の上面に配した肘掛けカバー３３とからなるもので、肘掛けカバー３３はその前端側が肘掛け部３２に連結されているとともに肘掛け部３２との対向面にエアバッグ（図示せず）が配されており、肘掛け部３２上面と肘掛けカバー３３との間に腕を入れて上記エアバッグを膨張収縮させることで腕に対するマッサージを行うことができるものとなっている。
【００１５】
また、ここにおける肘掛け３は、図１及び図２に示すように、その側板３０の後端部が背もたれ１に軸３５で連結されているとともに、側板３０の前端部に軸３７で連結されたリンク３６が軸３８によって前記フレーム５に連結されたものとなっているために、背もたれ１のリクライニング動作に同期して上面の角度が変化する。ただし、図示例のものでは、背もたれ１の角度変化よりも、肘掛け３上面の角度変化の方を小さくしており、背もたれ１を起こした状態では背もたれ１前面と肘掛け３上面とがなす角度α１が１１５°であるのに対し、背もたれ１を最も寝かした状態では背もたれ１前面と肘掛け３上面とがなす角度α２が１６０°となるようにしている。
【００１６】
背もたれ１のみがリクライニングして肘掛け３が動かない場合と比較すると、背もたれ１を寝かせた時も肘掛け３上に腕をリラックスさせた状態で置いておくことができるものであり、また背もたれ１を寝かせた状態でも肘掛け３における上記エアバッグによるマッサージを腕（手首や手を含む）に対して行うことができるものである。
【００１７】
肘掛け３の内側面（座部２側の面）にはフレーム５に固定したサイドプレート６０を設けているとともに、サイドプレート６０の内側面にエアバッグ６１を配してある。このエアバッグ６１の膨張収縮によって、腰から大腿部の側面をマッサージあるいは固定することができるようになっている。
【００１８】
そして、ここにおける背もたれ１は、前記従来例と同様に前方側に突出する側壁１５を有して、該側壁１５の内側面にエアバッグ１６が配されることで、マッサージ部材が背もたれ１の両側上部に設けられているのであるが、上記側壁１５は、背もたれ１の側面に取り付けられたものではなく、背もたれ１の上部両側に側方に張り出した張り出し部１４，１４を設けて、この張り出し部１４の前面から側壁１５を前方へ突出させている。
【００１９】
上記張り出し部１４は、その上端が背もたれ１の上端に滑らかに繋がるとともに下方ほど側方への張り出しが大きくなっているもので、側壁１５も張り出し部１４の側縁に沿って設けているために、張り出し部１４側面の傾斜に合わせた傾きを持っている。しかも側壁１５の前方への突出量も、背もたれ１の上端側ではゼロで下方ほど大きくなる形状となっているために、この側壁１５は、背もたれ１と一体感のあるものとなっている。また、側壁１５の内側面に配したエアバッグ１６も、側壁１５と同様に下側ほど大きい三角形状の外形を持つものとしている。
【００２０】
このマッサージ機において、座部２に座って背もたれ１に背を預け、この状態で背もたれ１の側壁１５の内側に配したエアバッグ１６を膨張収縮させれば、肩から上腕にかけての人体側面をマッサージすることができる。また、エアバッグ１６を膨張させることで背もたれ１に対して人体を固定すれば、背もたれ１内に配したマッサージ機構が施療子で人体を背後から押す時、人体が背もたれ１から浮き上がることがないために、人体背面に対するマッサージを効果的に行うことができる。
【００２１】
加えるに、側壁１５は前述のように下側ほど横に広がる位置にあり、エアバッグ１６も側壁１５の内側面に沿った状態となっていることから、エアバッグ１６は人体側面の肩から上腕にかけての傾斜面を的確に押圧することができる。殊にエアバッグ１６は幅がある部分が大きく膨らむために、下方ほど大きく膨張することになり、上腕の上部側面にあるツボを効果的にマッサージすることができる。さらに利用者の座高が少々異なろうと、押圧が強くなりすぎたり弱くなりすぎたりすることもない。
【００２２】
なお、側壁１５を備えた張り出し部１４は、背もたれ１の上部のみに設けており、側壁１５もこの張り出し部１４の範囲内で設けている。このためにリクライニング動作させた時に肘掛け１に載せた腕に張り出し部１４や側壁１５が干渉してしまうことはない。また、背もたれ１の側面から側方に張り出し部１４を張り出しているとはいえ、この張り出し１４は、座部２の両側に配した肘掛け３，３よりも側方に突出するものではないために、梱包時のサイズが大きくなってしまうことはない。
【００２３】
背もたれ１をもっとも倒した時には、側壁１５は背もたれ１の前面より高い位置にくることになるが、背もたれ１の上端部分とほぼ同一の高さ内に収まるようにしているために、この点においても梱包時のサイズが大きくなってしまうことはない。
【符号の説明】
【００２４】
１  背もたれ
３  肘掛け
【図１】
0005834248.tif 000002
【図２】
0005834248.tif 000003
【図３】
0005834248.tif 000004
【図４】
0005834248.tif 000005